(57)【要約】      （修正有）【課題】一度の射出成型後に足部の軸棒上に設置可能であり、且つ、高さ調節と背凭れ連結をする特徴を同時に兼ね備えた椅子腰掛部の支持構造を提供する。【解決手段】足部３０には軸棒３０１を備え、軸棒３０１の上端には更に接合端３０２を設ける。背凭れには支持棒３２を連結し、腰掛部には椅子枠１２’を備える。椅子枠１２’下方には、最低二本の強化棒１３’を備える。また、支持台１４構造を一体成型して椅子枠１２’に設けた二本の強化棒１３’間に備え、支持台１４の上には複数の骨体１４４を設置し、並びに、複数の骨体１４４内に最低一つの軸着部１４１と一つの調節部１４２を設け、軸着部１４１に備える軸孔１４１１は、足部３０の接合端３０２と接合し、調節部１４２には接合孔１４２１を開け、並びに、支持台１４底面には軸台１４６を設け、軸棒３０１は前記背凭れの支持棒３２の一端に連結し、接合孔１４２１は支持棒３２に予め設けた穴と接合することを特徴とする。【選択図】図３
0003147407.tif 000002
【実用新案登録請求の範囲】
【請求項１】
軸棒を備え、該軸棒の上端には更に接合端を設ける足部と、
椅子枠を設け、該椅子枠下方には最低二本の強化棒を備える腰掛部と、
支持棒を連結し、該支持棒には複数の穴を開ける背凭れと、
一体成型して前記椅子枠の二本の強化棒間に備える支持台とにより構成され、
前記支持台上には複数の骨体を設置し、並びに、複数の骨体内に最低一つの軸着部と一つの調節部を設け、前記軸着部に備える一つの軸孔は、前記足部の接合端と接合し、前記調節部には接合孔を開け、並びに、調節部の支持台底面には軸台を設け、前記軸台は前記背凭れの支持棒一端に連結し、前記接合孔は支持棒の穴に接合することを特徴とする椅子腰掛部の支持構造。
【請求項２】
請求項１記載の椅子腰掛部の支持構造において、前記足部の軸棒は、上下位置調節を備える圧力棒体とし、その上端には更に圧力調節端を設け、前記圧力棒体によって位置調節を行うことを特徴とする椅子腰掛部の支持構造。
【請求項３】
請求項１記載の椅子腰掛部の支持構造において、前記背凭れに連結する支持棒の一端には複数の接合孔を開け、並びに、ナットによって背凭れと接合固定されることを特徴とする椅子腰掛部の支持構造。
【請求項４】
請求項１記載の椅子腰掛部の支持構造において、前記背凭れに連結する支持棒の穴は、固定ボルトによって支持台の接合孔と接合固定されることを特徴とする椅子腰掛部の支持構造。
【請求項５】
請求項１記載の椅子腰掛部の支持構造において、前記支持台の軸着部に近い一方側箇所には更に一つの枢着部を備え、前記枢着部の支持台の一方側には一つの開口を開け、並びに、開口箇所両端には枢着端を設けることを特徴とする椅子腰掛部の支持構造。
【請求項６】
請求項５記載の椅子腰掛部の支持構造において、前記開口に設けた枢着端は調節棒を入れる為のもので、前記調節棒を開口に挿入した後、調節棒の回転軸をブッシュ内に枢着して回転させることを特徴とする椅子腰掛部の支持構造。
【請求項７】
請求項１記載の椅子腰掛部の支持構造において、前記支持台の複数の骨体は交差形態であり、並びに、前記の軸着部及び調節部の外側を包み込んで支持を形成することを特徴とする椅子腰掛部の支持構造。
【請求項８】
請求項１記載の椅子腰掛部の支持構造において、前記支持台に設けた軸孔下方箇所には更に、厚みが支持台より更に厚い支持端を形成し、その面積は軸着部の骨体を包み込む隙間より大きいことを特徴とする椅子腰掛部の支持構造。
【考案の詳細な説明】
【技術分野】
【０００１】
本考案は椅子腰掛部の支持構造であり、特に、オフィス用椅子の腰掛部下方に一体成型の支持台を増設したものであり、支持台の設計により、支持台に人体重量を支持する強度を備えさせ、且つ、その他の強化部品の接合を必要とせず、材料コストを削減する効果を達成する椅子腰掛部の支持構造に関する。
【背景技術】
【０００２】
図１に、公知のオフィス用椅子の立体図を示す。これは、現在市場において一般的に販売されているものと同類のオフィス用椅子であり、大部分は最低、底部１０、背凭れ２０、足部３０等により構成される。前記底部１０は、椅子枠１２を主構造とし、椅子枠１２上にはクッション１１を被冠する。椅子枠１２下には最低二本以上の強化棒１３を設けて、椅子枠１２の重量を支持し椅子枠１２の側辺方向の構造強度を強化するのに用いる。その内の強化棒１３は、その棒体上の中心位置に四つの向き合う接合孔を開け、前記クッション１１はスポンジクッションまたはネットクッション等の構造により成り、使用者をその上に座らせるものである。前記背凭れ２０には背凭れ枠２２を具備し、背凭れ枠２２の前端には背凭れクッション２１を被冠し、背凭れクッション２１はクッション１１と同様のスポンジクッションまたはネットクッション等の構造とし、使用者は背部を凭れ掛けることができる。背凭れ枠２２後方には強化骨２３を設けて背凭れ枠２２の横方向の力を支持し枠体の構造強度を強化し、強化骨２３上には複数の接合孔を開ける。前記足部３０は軸棒を主構造とし、下方には外側方向に広がる数本の分岐足を設け、且つ、前記数本の分岐足の底端にはキャスター３５を連結し、足部３０上端には底台３１を連結し、底台３１は複数のナットによって強化棒１３に開けた接合孔と螺着固定し、背凭れ２０の強化骨２３は、それに開けた接合孔に支持棒３２を螺着した後、下方向で前記底台３１と接合する（未図示）。前記底台３１は金属材料を主とし、十分な強度を有して強化棒１３からの圧迫力に耐える。公知のオフィス用椅子構造の技術は、広く市場で見られ、ここでは公知構造の組立の詳細は省略する。また、椅子枠１２と背凭れ枠２２に使用される材料は、プラスチック射出を主な応用とし、コストダウン且つ構造に必要な強度を維持することが可能である。
【０００３】
更に、図２の実施例分解図に示す通り、公知の椅子枠１２は本考案人が以前出願した実用新案の構造であり、公知のオフィス用椅子のクッション１１は、ネット面１１１で内枠１１２を包み込み引っ張った後、圧力体１１３によって外縁面つまり内枠１１２の外側エッジに予め設けた凹溝（未図示）を圧して固定すると、ネット面１１１はクッション１１上で固定され、人体重量を支える強度を備えるものとなる。図２に示す通り、前記の強化棒１３の構造は、椅子枠１２を支持する強度だけを提供して人体の重量を支えるものであるが、棒体間には前記の底台３１の連結が必要であり、こうして初めて足部３０の軸棒３０１上において安定した支持が可能となり、人が腰を下ろした後に生じる圧力とモーメントを支持する。前記軸棒３０１の上端には更に、上下移動可能な圧力棒体を設ける。
しかし、前記底台３１の強度を支持する為に通常は金属材料が使用されているが、それは厚みがあり高価で、物価高の趨勢においては良い選択とは言えない。よって、如何に低コストで構造強度を支持できる椅子構造を提供するかが、重要な課題である。
【考案の開示】
【考案が解決しようとする課題】
【０００４】
公知のオフィス用椅子腰掛部の欠点に鑑み、コストを削減し生産速度を高める腰掛部を提供する。本考案の椅子腰掛部の支持構造は、一度の射出成型後に足部の軸棒上に設置可能であり、且つ、高さ調節と背凭れ連結をする特徴を同時に兼ね備え、並びに、製造コストを削減する効果を有することを特徴とする。
【課題を解決するための手段】
【０００５】
請求項１の考案は、軸棒を備え、該軸棒の上端には更に接合端を設ける足部と、
椅子枠を設け、該椅子枠下方には最低二本の強化棒を備える腰掛部と、
支持棒を連結し、該支持棒には複数の穴を開ける背凭れと、
一体成型して前記椅子枠の二本の強化棒間に備える支持台とにより構成され、
前記支持台上には複数の骨体を設置し、並びに、複数の骨体内に最低一つの軸着部と一つの調節部を設け、前記軸着部に備える一つの軸孔は、前記足部の接合端と接合し、前記調節部には接合孔を開け、並びに、調節部の支持台底面には軸台を設け、前記軸台は前記背凭れの支持棒一端に連結し、前記接合孔は支持棒の穴に接合することを特徴とする椅子腰掛部の支持構造としている。
請求項２の考案は、請求項１記載の椅子腰掛部の支持構造において、前記足部の軸棒は、上下位置調節を備える圧力棒体とし、その上端には更に圧力調節端を設け、前記圧力棒体によって位置調節を行うことを特徴とする椅子腰掛部の支持構造としている。
請求項３の考案は、請求項１記載の椅子腰掛部の支持構造において、前記背凭れに連結する支持棒の一端には複数の接合孔を開け、並びに、ナットによって背凭れと接合固定されることを特徴とする椅子腰掛部の支持構造としている。
請求項４の考案は、請求項１記載の椅子腰掛部の支持構造において、前記背凭れに連結する支持棒の穴は、固定ボルトによって支持台の接合孔と接合固定されることを特徴とする椅子腰掛部の支持構造としている。
請求項５の考案は、請求項１記載の椅子腰掛部の支持構造において、前記支持台の軸着部に近い一方側箇所には更に一つの枢着部を備え、前記枢着部の支持台の一方側には一つの開口を開け、並びに、開口箇所両端には枢着端を設けることを特徴とする椅子腰掛部の支持構造としている。
請求項６の考案は、請求項５記載の椅子腰掛部の支持構造において、前記開口に設けた枢着端は調節棒を入れる為のもので、前記調節棒を開口に挿入した後、調節棒の回転軸をブッシュ内に枢着して回転させることを特徴とする椅子腰掛部の支持構造としている。
請求項７の考案は、請求項１記載の椅子腰掛部の支持構造において、前記支持台の複数の骨体は交差形態であり、並びに、前記の軸着部及び調節部の外側を包み込んで支持を形成することを特徴とする椅子腰掛部の支持構造としている。
請求項８の考案は、請求項１記載の椅子腰掛部の支持構造において、前記支持台に設けた軸孔下方箇所には更に、厚みが支持台より更に厚い支持端を形成し、その面積は軸着部の骨体を包み込む隙間より大きいことを特徴とする椅子腰掛部の支持構造としている。
【考案の効果】
【０００６】
本考案の椅子腰掛部の支持構造は、一度の射出成型後に足部の軸棒上に設置可能であり、且つ、高さ調節と背凭れ連結をする特徴を同時に兼ね備え、並びに、製造コストを削減する効果を有することを特徴とする。
【考案を実施するための最良の形態】
【０００７】
図３に本考案の分解図を示す通り、本考案の椅子腰掛部の支持構造は、現有のクッション１１’及び椅子枠１２’により構成される。本考案の特徴は主に、二本の強化棒１３’間に支持台１４を増設することにあり、前記支持台１４は盤状構造を成し、並びに、支持台１４は上方向に開いた空間の中に多数の交差する骨体１４４を設け、これにより支持台１４の構造強度を強化する他、射出に必要なプラスチック材料を減少させ、射出完成後の脱膜完全度を高める。よって、本考案の構造における特徴は、支持台１４の骨体１４４の交差中心位置箇所に軸着部１４１を設け、軸着部１４１の底面には軸孔１４１１を開け、軸着部１４１の一方側には枢着端１４３１を備える枢着部１４３を設け、支持台１４の背凭れに近い一端には接合孔１４２１を備える調節部１４２を設けることにある。
【０００８】
本考案を射出成型する場合、骨体１４４は、支持台１４に形成されている故、支持台１４に必要とする強度を提供し、交差する骨体１４４は、軸着部１４１と枢着部１４３の外周、及び調節部１４２の外周の一定距離内を取り囲む。前記支持台１４の軸着部１４１下方底面において、比較的厚みのある支持端１４１２形態を射出し、並びに、軸着部１４１外周の骨体１４４は、少なくとも支持端１４１２箇所の上方に設ける。支持端１４１２と骨体１４４を上下に形成する構造の特性により、軸着部１４１は、人体重量を支えた後の変形やひびを防ぐことが可能となる。また、軸着部１４１の一方側にある枢着部１４３は、支持台１４の一側辺に開口を設け、並びに、開口の内側縁面の両端箇所上にはそれぞれ一体成型且つ二つが向き合い巻き形状の枢着端１４３１を設け、巻き形状の枢着端１４３１の形成する相対的な孔には回転軸３４３を入れて枢着する。開口の中心は、軸孔１４１１方向に延伸する中心軸線位置にある。調節部１４２に設ける接合孔１４２１の孔径外周には、強度を高める骨辺１４２２を設ける。また、接合孔１４２１内には螺合に応じて金属ナットを埋設することも可能であり、且つ、支持台１４の調節部１４２箇所の形状は、強化棒１３’の棒体外に更に突出することも可能である。更に、図４における本考案の側面断面図に示す通り、支持台１４底部の支持端１４１２と接合孔１４２１間に、二つの向き合い下方向に突出する軸台１４６を設ける。
【０００９】
本考案の実施例に基づいて組合せ、足部３０の軸棒３０１上端に接合端３０２を設け、接合端３０２のネジ山を軸孔１４１１に連結した後、ナット３３を螺着して接合端３０２を軸着部１４１下方位置に固定する。これにより、支持台１４の全体は足部３０上に設置され椅子枠１２’からの下方向の圧力の重量を支え、且つ、支持端１４１２の厚みのある支持力により完全な支持を行う。更に調節棒３４を枢着部１４３の開口内に配置する。前記調節棒３４は軸棒３０１の油圧棒体上端の圧力調節端３０３を下方向に加圧するもので、これにより高低位置を調節する。前記調節棒３４の中段箇所には外側方向に垂直の回転軸３４３を両側に設け、調節棒３４の棒体の一端には圧力調節端３０３を下方向に加圧する圧迫部３４１を、別の一端には手でプッシュする為の受力部３４２を備える。調節棒３４を枢着部１４３の開口に置くと、回転軸３４３はそれぞれ枢着端１４３１内に嵌入定位し、配置後の調節棒３４を回転させる。枢着部１４３の開口一端に置いた圧迫部３４１は前記圧力調節端３０３の上方位置にあり、調節棒３４の開口のもう一端に対応する受力部３４２は手で引っ張り上げるのに用いる。回転軸３４３は枢着端１４３１上で回転し、もう一端の圧迫部３４１が圧力調節端３０３を下方向に圧して軸棒３０１を高低調節する。また、前記支持棒３２の一端は前記軸台１４６に枢着した後、固定ボルト３２１を支持棒３２に予め開けた穴に貫通させると、調節部１４２の接合孔１４２１内に進入し螺着される。軸台１４６が支持支点を形成し固定ボルト３２１が固定されると、支持棒３２は上方に連結した背凭れ２０を上方向において支えることが可能となる。
【００１０】
図５に示した本考案の別の位置に装着した場合の組立図の正面断面図の通り、本考案は、前記組立を完了した後、支持台１４は、一体成型構造によりコスト削減を実現する他、それに設けた軸着部１４１、枢着部１４３、及び調節部１４２の設計により、十分な構造強度を備えるという前提の下、各部機能を維持し、且つ更に生産速度を加速させることが可能となる。
【図面の簡単な説明】
【００１１】
【図１】公知の構造における立体図である。
【図２】公知の構造における部分構造分解図である。
【図３】本考案の部分構造分解図である。
【図４】本考案の側面断面図である。
【図５】本考案の正面断面図である。
【符号の説明】
【００１２】
１０  底部
１１  クッション
１１１  ネット面
１１２  内枠
１１３  圧力体
１２  椅子枠
１３  強化棒
１４  支持台
１４１  軸着部
１４１１  軸孔
１４１２  支持端
１４２  調節部
１４２１  接合孔
１４２２  骨辺
１４３  枢着部
１４３１  枢着端
１４４  骨体
１４６  軸台
２０  背凭れ
２１  背凭れクッション
２２  背凭れ枠
２３  強化骨
３０  足部
３０１  軸棒
３０２  接合端
３０３  圧力調節端
３１  底台
３２  支持棒
３２１  固定ボルト
３３  ナット
３４  調節棒
３４１  圧迫部
３４２  受力部
３４３  回転軸
３５  キャスター
【図１】
0003147407.tif 000003
【図２】
0003147407.tif 000004
【図３】
0003147407.tif 000005
【図４】
0003147407.tif 000006
【図５】
0003147407.tif 000007